(57)【要約】      （修正有）【課題】設置が容易で、且つ優れた放熱効果を有する車両用充電ソケットを提供する。【解決手段】車両用充電ソケットは、充電ヘッドモジュール１０と、電源変換モジュール２０と、第１ワイヤーハーネス３０と、第２ワイヤーハーネス４０とを備え、充電ヘッドモジュールが、ＵＳＢコネクタと、第１ジャックコネクタ１７を含み、電源変換モジュールが、第２ジャックコネクタ２３２と第３ジャックコネクタ２３３を有し、第１ワイヤーハーネスが、充電ヘッドモジュールの第１ジャックコネクタ及び電源変換モジュールの第２ジャックコネクタに着脱可能に連結され、第２ワイヤーハーネスが、電源変換モジュールの第３ジャックコネクタと車両電源に着脱可能に連結される。【選択図】図３
0003228645.tif 000002
【実用新案登録請求の範囲】
【請求項１】
車両用充電ソケットであって、充電ヘッドモジュールと、電源変換モジュールと、第１ワイヤーハーネスと、第２ワイヤーハーネスとを備え、
前記充電ヘッドモジュールは、第１ハウジングケース、フェイスプレート、ＵＳＢコネクタ、第１ジャックコネクタを含み、該フェイスプレートが該第１ハウジングケースの前端に取り付けられ、該ＵＳＢコネクタが第１ハウジングケース内にフェイスプレートに向かうように設けられると共に、複数のＵＳＢポートを有し、該フェイスプレートにおける、該複数のＵＳＢコネクタの設置位置と対応する位置に少なくとも一つの差込み開口が形成され、該第１ジャックコネクタがＵＳＢコネクタと電気的に接続されつつ、該第１ハウジングケース内に設置され、
前記電源変換モジュールは、第２ハウジングケースと変換回路モジュールを含み、該第２ハウジングケースが金属材料からなり、該変換回路モジュールが第２ハウジングケース内に設置されると共に、第２ジャックコネクタと第３ジャックコネクタを有し、
前記第１ワイヤーハーネスは、第１プラグコネクタ、第２プラグコネクタ、第１電線を含み、該第１電線が、該第１プラグコネクタと第２プラグコネクタを連結し、該第１プラグコネクタが、前記充電ヘッドモジュールの第１ジャックコネクタと着脱可能に連結され、該第２プラグコネクタが、前記電源変換モジュールの第２ジャックコネクタと着脱可能に連結され、
前記第２ワイヤーハーネスは、第３プラグコネクタ、車両電源コネクタ、第２電線を含み、該第２電線が、該第３プラグコネクタと車両電源コネクタを連結し、該第３プラグコネクタが、前記電源変換モジュールの第３ジャックコネクタと着脱可能に連結されることを特徴とする車両用充電ソケット。
【請求項２】
前記充電ヘッドモジュールの第１ジャックコネクタは、前記第１ハウジングケースの後端を向くように設けられ、
前記電源変換モジュールの第２ジャックコネクタと第３ジャックコネクタがそれぞれ、前記第２ハウジングケースの対向する両開口に向かうように設置されることを特徴とする請求項１に記載の車両用充電ソケット。
【請求項３】
前記第２ワイヤーハーネスの第２電線上に電流遮断器が設けられることを特徴とする請求項２に記載の車両用充電ソケット。
【請求項４】
前記充電ヘッドモジュールは、前記ＵＳＢコネクタと電気接続される表示灯モジュールを含むことを特徴とする請求項３に記載の車両用充電ソケット。
【請求項５】
前記充電ヘッドモジュールの表示灯モジュールが、前記第１ハウジングケース内に設置され、前記フェイスプレートにおける、該表示灯モジュールの設置位置と対応する位置に透光領域が設けられることを特徴とする請求項４に記載の車両用充電ソケット。
【請求項６】
前記充電ヘッドモジュールのフェイスプレートが、前記第１ハウジングケースと係合されることを特徴とする請求項５に記載の車両用充電ソケット。
【請求項７】
前記各ＵＳＢポートが、ＵＳＢタイプＡポート及びＵＳＢタイプＣポートの中から選ばれることを特徴とする請求項１から請求項６のいずれか１項に記載の車両用充電ソケット。
【請求項８】
前記ＵＳＢコネクタが、少なくとも一つのＵＳＢタイプＡポートと、少なくとも一つのＵＳＢタイプＣポートを含むことを特徴とする請求項１から請求項６のいずれか１項に記載の車両用充電ソケット。
【請求項９】
前記充電ヘッドモジュールは、前記フェイスプレートを覆うために該フェイスプレートの前側に取り付けられる防塵カバーを含むことを特徴とする請求項８に記載の車両用充電ソケット。
【請求項１０】
前記充電ヘッドモジュールの防塵カバーが、該充電ヘッドモジュール上に、前記フェイスプレートに対して摺動可能に連結されることを特徴とする請求項９に記載の車両用充電ソケット。
【考案の詳細な説明】
【技術分野】
【０００１】
本考案は、車両用充電ソケットに関し、特に設置が便利で、且つ放熱効果に優れた車両用充電ソケットに関するものである。
【背景技術】
【０００２】
車両の付加価値を高めて、外出時に携帯型電子デバイスを充電する需要を満たすために、車内には一般的に、ユニバーサルシリアルバス（Ｕｎｉｖｅｒｓａｌ  Ｓｅｒｉａｌ  Ｂｕｓ、ＵＳＢ）ポートが設けられている。このような設計によれば、使用者は、ＵＳＢコネクタ付きのケーブルを利用して、携帯型電子デバイスをＵＳＢポートに連結させることで、携帯型電子デバイスを充電することができる。
【０００３】
車内のＵＳＢポートを利用して携帯型電子デバイスを充電するためには、車両からの１２ボルトの供給電圧を５ボルトに変換する必要がある。このため、従来の車両用充電ソケットは主に、ハウジングケースと、変換回路モジュールと、ＵＳＢコネクタとを備え、該変換回路モジュールとＵＳＢコネクタがハウジングケース内に収容されると共に、電気連結され、該変換回路モジュールは、給電線によって車両電源に接続され、車両の供給電圧を該変換回路モジュールの変換回路を介して、５ボルトの直流電源電圧に変換してからＵＳＢコネクタへ供給する。
【０００４】
しかしながら、従来の車両用充電ソケットは、変換回路モジュールが電圧変換処理中に高温になりやすく、それに加え、変換回路モジュールとＵＳＢコネクタが同じハウジングケース内に収容されていることから、放熱効果が悪いので、回路動作の安定性や、充電性能、使用寿命に影響を与えてしまうという問題点があった。
【０００５】
さらに、ＵＳＢコネクタと変換回路モジュールは、一つのモジュールに設けられているいることから、体積が極めて大きいことから、従来の車両用充電ソケットの設置場所は限られ、且つメンテナンスも容易ではないので、改善する必要があった。
【考案の概要】
【考案が解決しようとする課題】
【０００６】
本考案は、前記の従来技術の欠点に鑑みてなされたものであり、設置が容易で、且つ優れた放熱効果を有する車両用充電ソケットを提供することを目的としている。
【課題を解決するための手段】
【０００７】
上記目的を達成するために、本考案は、車両用充電ソケットであって、充電ヘッドモジュールと、電源変換モジュールと、第１ワイヤーハーネスと、第２ワイヤーハーネスとを備え、前記充電ヘッドモジュールは、第１ハウジングケース、フェイスプレート、ＵＳＢコネクタ、第１ジャックコネクタを含み、該フェイスプレートが該第１ハウジングケースの前端に取り付けられ、該ＵＳＢコネクタが第１ハウジングケース内にフェイスプレートに向かうように設けられると共に、複数のＵＳＢポートを有し、該フェイスプレートにおける、該複数のＵＳＢコネクタの設置位置と対応する位置に少なくとも一つの差込み開口が形成され、該第１ジャックコネクタがＵＳＢコネクタと電気的に接続されつつ、該第１ハウジングケース内に設置され、前記電源変換モジュールは、第２ハウジングケースと変換回路モジュールを含み、該第２ハウジングケースが金属材料からなり、該変換回路モジュールが第２ハウジングケース内に設置されると共に、第２ジャックコネクタと第３ジャックコネクタを有し、前記第１ワイヤーハーネスは、第１プラグコネクタ、第２プラグコネクタ、第１電線を含み、該第１電線が、該第１プラグコネクタと第２プラグコネクタを連結し、該第１プラグコネクタが、前記充電ヘッドモジュールの第１ジャックコネクタと着脱可能に連結され、該第２プラグコネクタが、前記電源変換モジュールの第２ジャックコネクタと着脱可能に連結され、前記第２ワイヤーハーネスは、第３プラグコネクタ、車両電源コネクタ、第２電線を含み、該第２電線が、該第３プラグコネクタと車両電源コネクタを連結し、該第３プラグコネクタが、前記電源変換モジュールの第３ジャックコネクタと着脱可能に連結されることを特徴とする。
【考案の効果】
【０００８】
上記の技術手段によれば、本発明に係る車両用充電ソケットは、少なくとも以下に示すような優れた点を有する。
【０００９】
１、充電ヘッドモジュールと電源変換モジュールは、二つの別個のモジュールであるので、電源変換モジュールが電圧変換を行うときに発生する熱が充電ヘッドモジュールに影響を与えることはない。
【００１０】
２、第２ハウジングケースは金属材料からなることから、良好な熱伝導性を有するので、電源変換モジュールの放熱効果が向上する。
【００１１】
３、充電ヘッドモジュールは薄型化することができるので、車両用充電ソケットの設置の利便性が高まる。
【００１２】
４、充電ヘッドモジュール又は電源変換モジュールの交換作業やメンテナンス作業が容易である。
【図面の簡単な説明】
【００１３】
【図１】本考案の好適な実施例の斜視図である。
【図２】本考案の好適な実施例の分解斜視図である。
【図３】本考案の好適な実施例を別の角度から見た分解斜視図である。
【図４】本考案の好適な実施例における、充電ヘッドモジュールの分解斜視図である。
【図５】本考案の好適な実施例における、充電ヘッドモジュールの正面図である（フェイスプレートは省略する）。
【図６】本考案の好適な実施例の使用状態を示す模式図である。
【考案を実施するための形態】
【００１４】
図１〜図３は、本考案に係る車両用充電ソケットの好適な実施例を示したものであって、充電ヘッドモジュール１０、電源変換モジュール２０、第１ワイヤーハーネス３０、及び第２ワイヤーハーネス４０を備える。
【００１５】
図２〜図４に示すように、前記充電ヘッドモジュール１０は、第１ハウジングケース１１、フェイスプレート１３、ユニバーサルシリアルバス（Ｕｎｉｖｅｒｓａｌ  Ｓｅｒｉａｌ  Ｂｕｓ、ＵＳＢ）コネクタ（以下、ＵＳＢコネクタと称す)１５、及び第１ジャックコネクタ１７を含む。
【００１６】
前記第１ハウジングケース１１は、プラスチック材料からなってよく、その外形が略円筒状を呈し、該第１ハウジングケースの内部に収容空間が形成され、該第１ハウジングケース１１の前端に開口が設けられ、前記フェイスプレート１３が四角形を呈し、該第１ハウジングケース１１の前端に取り付けられ、該フェイスプレート１３の外周縁は、該第１ハウジングケース１１の外周縁から突出し、前記ＵＳＢコネクタ１５が該第１ハウジングケース１１内において、該フェイスプレート１３に向かうように設置されると共に、複数のＵＳＢポート１５１、１５２を含み、該各ＵＳＢポート１５１、１５２をＵＳＢタイプＡポートとするか、ＵＳＢタイプＣポートとするかを選択できるが、該ＵＳＢコネクタ１５は、少なくとも一つのＵＳＢタイプＡポートと少なくとも一つのＵＳＢタイプＣポートを含むことが好ましく、該フェイスプレート１３における、該複数のＵＳＢコネクタ１５の設置位置と対応する位置に、少なくとも一つの差込み開口１３２、１３３が形成され、具体的に述べると、該フェイスプレート１３に、該複数のＵＳＢポート１５１、１５２に対応する複数の差込み開口１３２、１３３が設置されてもよく、又は該フェイスプレート１３に、該複数のＵＳＢポート１５１、１５２に対応する、一つの差込み開口が形成されてもよい。図３に示すように、前記第１ジャックコネクタ１７は、前記第１ハウジングケース１１内において、該第１ハウジングケース１１の後端を向くように設置されると共に、前記ＵＳＢコネクタ１５と電気連結され、該第１ハウジングケース１１の後端に第１ジャックコネクタ１７に対応する孔穴が形成される。尚、本実施例においては、ＵＳＢコネクタ１５が二つのＵＳＢポート１５１、１５２を含み、そのうちの一つのＵＳＢポート１５１がＵＳＢタイプＡポートであり、もう一つのＵＳＢポート１５２がＵＳＢタイプＣポートであり、フェイスプレート１３上には、二つの差込み開口１３２、１３３が設けられ、そのうちの一つの差込み開口１３２が、ＵＳＢタイプＡポートであるＵＳＢポート１５１に対応し、もう一つの差込み開口１３３が、ＵＳＢタイプＣポートであるＵＳＢポート１５２に対応する。更に、ＵＳＢタイプＣポートは、逆差しが可能で、且つ最大電流３アンペアまで対応可能であるので、大きな電流値での高速充電が可能となる。
【００１７】
好ましくは、図４に示すように、前記フェイスプレート１３が、前記第１ハウジングケース１１に係止され、具体的には、該第１ハウジングケース１１上に、複数の係合溝１１４が一定間隔で配置され、これに対し、該フェイスプレート１３上に、複数の係合ブロック１３４が設けられ、これらの係合ブロック１３４が、該複数の係合溝１１４内に係止されることにより、該フェイスプレート１３が第１ハウジングケース１１上に固定され、さらに、前記充電ヘッドモジュール１０を車内に固定するために、該第１ハウジングケース１１の外周上に、複数の抜止め突起１１５が凸設される。
【００１８】
図１〜図３に示すように、前記電源変換モジュール２０は、第２ハウジングケース２１と変換回路モジュール２３を含み、そのうち、第２ハウジングケース２１は金属材料からなり、該変換回路モジュール２３は、該第２ハウジングケース２１内に設置されると共に、電路基板２３１、第２ジャックコネクタ２３２、及び第３ジャックコネクタ２３３を有し、該第２ジャックコネクタ２３２と第３ジャックコネクタ２３３はそれぞれ、該電路基板２３１と電気接続されると共に、該第２ハウジングケース２１の対向する両開口に向かうように配置される。
【００１９】
前記第１ワイヤーハーネス３０は、第１プラグコネクタ３１、第２プラグコネクタ３２、及び第１電線３３を含み、該第１電線３３によって第１プラグコネクタ３１と第２プラグコネクタ３２が連結され、該第１プラグコネクタ３１は、前記充電ヘッドモジュール１０の第１ジャックコネクタ１７と着脱可能に連結され、該第２プラグコネクタ３２は、前記電源変換モジュール２０の第２ジャックコネクタ２３２と着脱可能に連結される。
【００２０】
前記第２ワイヤーハーネス４０は、第３プラグコネクタ４１、車両電源コネクタ４２、及び第２電線４３を含み、該第２電線４３によって第３プラグコネクタ４１と車両電源コネクタ４２とが連結され、該第３プラグコネクタ４１が、前記電源変換モジュール２０の第３ジャックコネクタ２３３と着脱可能に連結され、該車両電源コネクタ４２は、車両電源に接続するために用いられる。
【００２１】
前記第２ワイヤーハーネス４０の第２電線４３上には、電流遮断器４５が設置されることが好ましく、具体的に述べると、該電流遮断器４５は、通過する電流量を制限するために使用され、つまり、前記第２電線４３を流れる電流が該電流遮断器４５の許容電流値を超えると、該電流遮断器４５を溶断し、通電している回路を遮断させて、過負荷や短絡を発生させることにより保護効果を得る。
【００２２】
図４及び図５に示すように、前記充電ヘッドモジュール１０は、表示灯モジュール１６をさらに含むことが好ましく、具体的に述べると、該表示灯モジュール１６は、前記ＵＳＢコネクタ１５と電気接続されると共に、前記第１ハウジングケース１１内に設置され、該ＵＳＢコネクタ１５を外部の充電ケーブルと連結させ、これにより、携帯型電子デバイスに電力を供給する際に、該表示灯モジュールに電流が流れるので、該表示灯モジュール１６が点灯する。前記表示灯モジュール１６は、少なくとも一つの発光ダイオードを有し、前記フェイスプレート１３上において、該表示灯モジュール１６における、設置位置と対応する位置に透光領域１３５が設けられることから、該表示灯モジュール１６の光源が、該透光領域１３５を通って発光し、使用者が給電状態を確認することができる。
【００２３】
前記充電ヘッドモジュール１０は、防塵カバー１４をさらに有することが好ましく、該防塵カバー１４は、前記フェイスプレート１３の差込み開口１３２、１３３を覆うために、該フェイスプレート１３の前側に取り付けられる。具体的に述べると、該防塵カバー１４は、該フェイスプレート１３と着脱可能に連結されてもよく、又は、ヒンジ構造を介して、該フェイスプレート１３に対して開閉自在に連結されてもよく、又は、前記充電ヘッドモジュール１０上に、該フェイスプレート１３に対して摺動可能に連結されてもよい。
【００２４】
図１及び図６に示すように、前記充電ヘッドモジュール１０と電源変換モジュール２０は、前記第１ワイヤーハーネス３０によって連結される二つの別個のモジュールであることから、該充電ヘッドモジュール１０の薄型化を図ることができ、よりコンパクトにすることができることから、図６からも分かるように、前記充電ヘッドモジュール１０を、自動車の後部座席近くの中央アームレストの後側、または自動車の内装パネルに容易に埋め込むことができ、また、前記フェイスプレート１３の裏側を自動車の内装部品に密着させ、前記電源変換モジュール２０及び第１ワイヤーハーネス３０、第２ワイヤーハーネス４０を、自動車の内装部品内、または内装部品と車体の間に隠すように収容することができる。このように、前記充電ヘッドモジュール１０と電源変換モジュール２０を、前記第１ワイヤーハーネス３０で連結する別々の部品として、前記第２ワイヤーハーネス４０によって、前記電源変換モジュール２０、車両電源に連結すれば、設置上の利便性を高められ、加えて、後部座席の乗客が、携帯型電子デバイスを前記充電ヘッドモジュール１０に接続し易くなる。
【００２５】
上記の技術手段によれば、本発明に係る車両用充電ソケットは、少なくとも以下に示すような優れた点を有する。
【００２６】
１、充電ヘッドモジュール１０と電源変換モジュール２０は、二つの別個のモジュールであるので、電源変換モジュール２０が電圧変換を行うときに発生する熱が充電ヘッドモジュール１０に影響を与えることはない。
【００２７】
２、第２ハウジングケース２１は金属材料からなることから、良好な熱伝導性を有するので、電源変換モジュール２０の放熱効果が向上する。
【００２８】
３、充電ヘッドモジュール１０は薄型化することができるので、車両用充電ソケットの設置の利便性が高まる。
【００２９】
４、充電ヘッドモジュール１０又は電源変換モジュール２０の交換作業やメンテナンス作業が容易である。
【符号の説明】
【００３０】
１０            充電ヘッドモジュール
１１            第１ハウジングケース
１１４          係合溝
１１５          抜止め突起
１３            フェイスプレート
１３２、１３３  差込み開口
１３４          係合ブロック
１３５          透光領域
１４            防塵カバー
１５            ＵＳＢコネクタ
１５１、１５２  ＵＳＢポート
１６            表示灯モジュール
１７            第１ジャックコネクタ
２０            電源変換モジュール
２１            第２ハウジングケース
２３            変換回路モジュール
２３１          電路基板
２３２          第２ジャックコネクタ
２３３          第３ジャックコネクタ
３０            第１ワイヤーハーネス
３１            第１プラグコネクタ
３２            第２プラグコネクタ
３３            第１電線
４０            第２ワイヤーハーネス
４１            第３プラグコネクタ
４２            車両電源コネクタ
４３            第２電線
４５            電流遮断器
【図１】
0003228645.tif 000003
【図２】
0003228645.tif 000004
【図３】
0003228645.tif 000005
【図４】
0003228645.tif 000006
【図５】
0003228645.tif 000007
【図６】
0003228645.tif 000008